(57)【要約】【課題】エレベータ装置の操作盤の端子部からかご上機器までの配線の長さを短縮する。【解決手段】エレベータ装置は、乗りかご１０と、操作盤と、かご上ダクト５０と、かご上機器配線５８とを備える。乗りかご１０は、底板６１と側壁６３とを備えている。底板６１の一つの端辺にはドア１２を案内するかごシル１１が設けられていて、その近傍には貫通孔６２が形成されている。操作盤は、貫通孔６２の周囲の領域の上方で鉛直方向に延びるダクト１４と、このダクト１４の内部に収められた端子部とを備えている。エレベータ装置の全体の制御をする制御器から乗りかご１０に延びるケーブル３６は、貫通孔６２を経由してダクト１４内の端子部に接続される。一方、かご上機器配線５８は、貫通孔６２の周囲の領域の上方の空間で端子部から乗りかご１０の上面より上まで延びてかご上ダクト５０に接続されている。【選択図】図１
2010095330.tif 000002
【特許請求の範囲】
【請求項１】
入口部を含んで水平に延びるかごシルが端辺に設けられ前記端辺の近傍に貫通孔が形成された底板とこの底板を前記貫通孔の周囲の配線領域および前記入口部につながる乗り場領域に隔てる側壁とを備えた乗りかごと、
前記かごシルに沿って移動可能に設けられたドアと、
前記配線領域の上方で鉛直方向に延びるダクトとこのダクトの内部に収められた端子部とこの端子部の裏側に設けられて前記乗り場領域の上方の空間に面する操作部とを備えて前記側壁に設けられた操作盤と、
ロープを介して前記乗りかごを上下に移動させるモーターと、
前記モーターを制御する制御器と、
前記貫通孔を通過して前記制御器と前記端子部とを接続するケーブルと、
前記乗りかごの上面に配置されたかご上機器と、
前記配線領域の上方の空間で前記端子部から前記乗りかごの上面よりも上まで延びて前記かご上機器に接続されたかご上機器配線と、
を有することを特徴とするエレベータ装置。
【請求項２】
前記かご上機器配線は、前記ダクトの下端を通過して前記ダクトの外部を前記ダクトに沿って上方に延びていることを特徴とする請求項１に記載のエレベータ装置。
【請求項３】
前記かご上機器配線は、前記ダクトの内部を前記端子部から上方に延びていることを特徴とする請求項１に記載のエレベータ装置。
【発明の詳細な説明】
【技術分野】
【０００１】
本発明は、エレベータ装置に関する。
【背景技術】
【０００２】
エレベータは、乗りかごが昇降路の内部を上下に移動する装置である。乗りかごには、乗客が行き先階を指定し、また、乗りかごのドアの開閉を指示するためのボタンを備えた操作盤（ＣＯＰ）が設けられる。操作盤は、これらのボタンを介して乗客から与えられる指示および昇降路の上に設けられたエレベータの全体の制御装置からの指示を受けて乗りかごを操作する。
【特許文献１】特開平１１−３２２２３２号公報
【発明の開示】
【発明が解決しようとする課題】
【０００３】
エレベータ装置の乗りかごの上面には、さまざまな機器が取り付けられる。たとえば、点検のために乗りかごの移動を禁止するスイッチが設けられる。このようなかご上機器は、操作盤を経由して信号を授受し、電力の供給を受ける。このため、操作盤とかご上機器との間には配線が延びている。
【０００４】
また、エレベータ装置の全体の制御装置と乗りかごとの間で信号の伝達などをするケーブルは、エレベータ装置の乗りかごが上下に移動する際に乗りかごの上面で積み重ならないように、乗りかごの底板に設けられた貫通孔を経由して乗りかごに設けられた操作盤に接続される。したがって、操作盤と外部とを接続する端子部は、操作盤の下部に設けられる。
【０００５】
このため、かご上機器に延びる配線が接続される端子も、操作盤の下側に設けられる。操作盤の下側からかご上機器に延びる配線は、制御装置から乗りかごに延びるケーブルと同様に、乗りかごの底板の貫通孔を経由した後、乗りかごの上面に引き回される。つまり、操作盤の下側から延びるケーブルは、一旦、乗りかごの下面まで下降した後、乗りかごの上面まで上昇するため、配線長が長くなる傾向にある。
【０００６】
さらに、見栄えの観点などから、かご上機器に延びる配線を余計に引き回す場合もある。このような場合、配線を敷設する据付作業者ごとに配線経路が異なる可能性があるため、エレベータ装置の据え付け後の保守の効率を低下させる可能性がある。
【０００７】
そこで、本発明は、エレベータ装置の操作盤の端子部からかご上機器までの配線の長さを短縮することを目的とする。
【課題を解決するための手段】
【０００８】
上述の目的を達成するため、本発明は、入口部を含んで水平に延びるかごシルが端辺に設けられ前記端辺の近傍に貫通孔が形成された底板とこの底板を前記貫通孔の周囲の配線領域および前記入口部につながる乗り場領域に隔てる側壁とを備えた乗りかごと、前記かごシルに沿って移動可能に設けられたドアと、前記配線領域の上方で鉛直方向に延びるダクトとこのダクトの内部に収められた端子部とこの端子部の裏側に設けられて前記乗り場領域の上方の空間に面する操作部とを備えて前記側壁に設けられた操作盤と、ロープを介して前記乗りかごを上下に移動させるモーターと、前記モーターを制御する制御器と、前記貫通孔を通過して前記制御器と前記端子部とを接続するケーブルと、前記乗りかごの上面に配置されたかご上機器と、前記配線領域の上方の空間で前記端子部から前記乗りかごの上面よりも上まで延びて前記かご上機器に接続されたかご上機器配線と、を有することを特徴とする。
【発明の効果】
【０００９】
本発明によれば、エレベータ装置の操作盤の端子部からかご上機器までの配線の長さを短縮することができる。
【発明を実施するための最良の形態】
【００１０】
本発明に係るエレベータ装置の実施の形態を、図面を参照して説明する。なお、同一または類似の構成には同一の符号を付し、重複する説明は省略する。
【００１１】
［第１の実施の形態］
図４は、本発明に係るエレベータ装置の第１の実施の形態における側面図である。
【００１２】
エレベータ装置は、乗客を乗せる乗りかご１０と、乗りかご１０を昇降させるモーター２０を有している。乗りかご１０は、建築物内に形成された鉛直方向に延びる昇降路３０に配置される。モーター２０は、たとえば昇降路３０の上部に位置する機械室３２に設置される。
【００１３】
乗りかご１０は、かご枠４０を有していて、乗りかご１０はかご枠４０に一端が固定されたロープ２２で吊り下げられている。ロープ２２の他端には、カウンタウェイト２４が固定されている。ロープ２２は、モーター２０に掛け渡されている。
【００１４】
また、エレベータ装置は、モーター２０などを制御するエレベータ制御器３４を有している。エレベータ制御器３４は、たとえば昇降路３０の上部の機械室３２に設置される。エレベータ制御器３４と乗りかご１０との間には、ケーブル３６が延びている。
【００１５】
図１は、本実施の形態における乗りかごの斜視図である。図２は、本実施の形態における乗りかごの平断面であって、図３におけるII−II矢視断面図である。図３は、図２のIII−III矢視正面図である。
【００１６】
乗りかご１０は、底板６１、ドア１２および側壁６３を備えている。底板６１は、長方形の板であって、一つの端辺にかごシル１１が設けられている。また、かごシル１１の上方には、かごシル１１と平行に延びるドア案内レール５２が設けられている。ドア１２は、かごシル１１およびドア案内レール５２に沿って移動可能に設けられている。かごシル１１の中央付近はエレベータの乗降客が乗降の際に通過する入口部となっている。また、かごシル１１が設けられた底板６１の端辺の近傍には、上下に貫通する貫通孔６２が形成されている。
【００１７】
乗りかご１０の側壁６３には、かごシル１１の中央付近の入口部に開口部６６が設けられている。側壁６３は、底板６１を貫通孔６２の周囲の配線領域６４と、乗り場領域６５とに隔てる壁である。乗り場領域６５は、開口部６６を介してかごシル１１の中央付近の入口部につながっている。ドア１２は、開口部６６を塞ぐ位置と、開口部６６を開放する位置１３との間を、図示しない開閉装置で開閉される。
【００１８】
側壁６３のドア１２の横の部分には、操作盤１６が設けられる。操作盤１６は、ダクト１４と、端子部１５と、操作部１９とを備えている。ダクト１４は、底板６１の配線領域６４の上方で鉛直方向に延びている。端子部１５は、ダクト１４の内部に収められている。操作部１９は、端子部１５の裏側に設けられていて、底板６１の乗り場領域６５の上方の空間に面している。操作部１９には、乗降客が行き先階を指定し、また、ドア１２の開閉を指示するためのボタンなどが設けられている。エレベータ制御器３４と乗りかご１０との間に延びるケーブル３６は、底板６１の貫通孔６２およびダクト１４の下端の開口を通過し、端子部１５に接続されている。
【００１９】
乗りかご１０の上面には、かご上ダクト５０などのかご上機器が配置されている。操作盤１６の端子部１５からかご上ダクト５０などのかご上機器には、かご上機器配線５８が延びている。
【００２０】
操作盤１６は、操作部１９で入力される指示などを電気信号としてケーブル３６を介してエレベータ制御器３４に伝達し、また、エレベータ制御器３４から伝達されるドア１２の開閉などを指示する信号が伝達される。操作盤１６からかご上機器には、エレベータ制御器３４から伝達される信号などが、かご上機器配線５８を介して伝達される。
【００２１】
かご上機器配線５８は、ダクト１４の下端の開口を通過した後、ダクト１４の下端近傍で折り返されてダクト１４に沿って上昇し、かご上ダクト５０などのかご上機器に接続される。つまり、かご上機器配線５８は、底板６１の配線領域６４の上方の空間で端子部１５から乗りかご１０の上面よりも上まで延びて、かご上機器に接続されている。
【００２２】
乗りかご１０には、操作部１９を設ける必要があるため、操作部１９の裏面には端子部１５などを配置する空間が必要になる。操作部１９を乗りかご１０の開口部６６の近傍に設けると、ドア１２が移動する部分であるかごシル１１の上方と操作部１９との間に端子部１５を配置するための空間を設ける必要がある。本実施の形態では、この空間、すなわち底板６１の配線領域６４の上方の空間の内部でかご上機器配線５８を引き回すこととしているため、据付作業者ごとに配線経路が大きく異なることがない。よって、据付作業者ごとのかご上機器配線５８の配線経路の違いによる保守の効率を低下は、抑制される。
【００２３】
また、エレベータ制御器３４と端子部１５との間のケーブル３６と同様に、かご上機器配線５８を底板６１の貫通孔６２を経由して引き回すと、かご上機器配線５８は必然的に底板６１を上下に投影した空間の外部を通らざるを得なくなる。しかし、本実施の形態において、かご上機器配線５８は、底板６１よりも上方で引き回されている。このため、かご上機器配線５８を底板６１の貫通孔６２を経由して引き回した場合に比べてかご上機器配線５８の配線長を短くすることができる。
【００２４】
なお、図１および図２において、かご上機器配線５８は、操作盤１６に対して開口部６６の反対に位置するリターンパネル１７側に設けている。しかし、配線領域６４の上方の空間内における機器など配置状況に応じて、操作盤１６に対して開口部６６に近い側の入口柱１８側に設けてもよい。
【００２５】
［第２の実施の形態］
図５は、本発明に係るエレベータ装置の第２の実施の形態における乗りかごの斜視図である。
【００２６】
本実施の形態において、かご上機器配線５８は、端子部１５（図２参照）からダクト１４の内部を上昇してダクト１４の上端の開口を通過した後、そのまま上昇し、かご上ダクト５０などのかご上機器に接続される。つまり、かご上機器配線５８は、底板６１の配線領域６４の上方の空間で端子部１５から乗りかご１０の上面よりも上まで延びて、かご上機器に接続されている。
【００２７】
このようなエレベータ装置であっても、底板６１の配線領域６４の上方の空間の内部でかご上機器配線５８を引き回すこととしているため、据付作業者ごとに配線経路が大きく異なることがない。よって、据付作業者ごとのかご上機器配線５８の配線経路の違いによる保守の効率を低下は、抑制される。また、かご上機器配線５８は、底板６１よりも上方で引き回されているため、かご上機器配線５８を底板６１の貫通孔６２を経由して引き回した場合に比べてかご上機器配線５８の配線長を短くすることができる。
【００２８】
［他の実施の形態］
上述の各実施の形態は単なる例示であり、本発明はこれらに限定されない。また、各実施の形態の特徴を組み合わせて実施することもできる。
【図面の簡単な説明】
【００２９】
【図１】本発明に係るエレベータ装置の第１の実施の形態における乗りかごの斜視図である。
【図２】本発明に係るエレベータ装置の第１の実施の形態における乗りかごの平断面であって、図３におけるII−II矢視断面図である。
【図３】図２のIII−III矢視正面図である。
【図４】本発明に係るエレベータ装置の第１の実施の形態における側面図である。
【図５】本発明に係るエレベータ装置の第２の実施の形態における乗りかごの斜視図である。
【符号の説明】
【００３０】
１０…乗りかご、１１…かごシル、１２…ドア、１４…ダクト、１５…端子部、１６…操作盤、１７…リターンパネル、１８…入口柱、１９…操作部、２０…モーター、２２…ロープ、２４…カウンタウェイト、３０…昇降路、３２…機械室、３４…エレベータ制御器、３６…ケーブル、４０…かご枠、５０…かご上ダクト、５２…ドア案内レール、５８…かご上機器配線、６１…底板、６２…貫通孔、６３…側壁、６４…配線領域、６５…乗り場領域、６６…開口部
【図１】
2010095330.tif 000003
【図２】
2010095330.tif 000004
【図３】
2010095330.tif 000005
【図４】
2010095330.tif 000006
【図５】
2010095330.tif 000007